(57)【特許請求の範囲】
【請求項１】
水源の水をサイホン管により取水し、該サイホン管の下流側に接続した給水管から使用先に給水するサイホン式取水装置における前記給水管内の空気を外部に排出するための空気弁装置であって、前記給水管を上流側給水管と下流側給水管とに分割し、該上流側給水管及び下流側給水管のそれぞれの端部に、上方に向かって屈曲した立ち上がり管をそれぞれ設け、一方の立ち上がり管の上部に、フロートと該フロートの昇降によって開閉する弁部とを備えた空気弁の弁箱をそれぞれ接続するとともに、前記立ち上がり管の上部同士を接続管を介して接続したことを特徴とする空気弁装置。
【請求項２】
水源の水をサイホン管により取水し、該サイホン管の下流側に接続した給水管から使用先に給水するサイホン式取水装置における前記給水管内の空気を外部に排出するための空気弁装置であって、前記給水管を上流側給水管と下流側給水管とに分割し、該上流側給水管及び下流側給水管のそれぞれの端部に、上方に向かって屈曲した立ち上がり管をそれぞれ設け、各立ち上がり管の上部に、フロートと該フロートの昇降によって開閉する弁部とを備えた空気弁の弁箱をそれぞれ接続するとともに、前記立ち上がり管の上部同士を接続管を介して接続したことを特徴とする空気弁装置。
【請求項３】
前記立ち上がり管の下部同士を接続する下部接続管を備えていることを特徴とする請求項１又は２記載の空気弁装置。
【請求項４】
前記立ち上がり管及び前記接続管の内部を上下に仕切って前記弁箱内への気泡の上昇を制御する仕切板を設けたことを特徴とする請求項１乃至３のいずれか１項記載の空気弁装置。
【請求項５】
前記各管及び前記弁箱が合成樹脂製で同一サイズの直管と継手とを組み合わせて形成されていることを特徴とする請求項１乃至４のいずれか１項記載の空気弁装置。
【請求項６】
前記下流側給水管の管壁上部と前記弁箱の上部との間を排気管により接続したことを特徴とする請求項１乃至５のいずれか１項記載の空気弁装置。
【発明の詳細な説明】
【技術分野】
【０００１】
本発明は、空気弁装置に関し、詳しくは、水源の水をサイホン管により取水し、該サイホン管の下流側に接続した給水管から使用先に給水するサイホン式取水装置における前記給水管内の空気を外部に排出するための空気弁装置に関する。
【背景技術】
【０００２】
溜池（貯水池）や湖沼等の水源から堤体等を越えて設置したサイホン管により取水し、灌漑用水等として給水するサイホン式取水装置が知られている（例えば、特許文献１参照。）。また、一般的な給水管には、給水管内の空気を外部に自動的に排出するための空気弁が設けられている（例えば、特許文献２参照。）。
【特許文献１】特開２００１−４５８８８号公報
【特許文献２】特許第３４１８８７１号公報
【発明の開示】
【発明が解決しようとする課題】
【０００３】
前記サイホン式取水装置では、サイホン管内に大量の空気が混入するとサイホン作用が失われて水源からの取水ができなくなるため、サイホン管の最高地点付近からサイホン管内の空気を排出するための各種空気排出手段を設けるようにしている。また、サイホン管の下流側に接続した給水管は、一般に水勾配が設けられていることから、給水管内の流速が遅くなったり、水の流れが止まったりすると、給水管の水勾配により給水管内の気泡がサイホン管に向かって上昇する状態となるため、給水管の最高地点に空気弁を配置し、給水管内の気泡を外部に排出することによって給水管内からサイホン管内に気泡が流入しないようにしている。
【０００４】
通常の灌漑状態では、サイホン管内で発生した気泡は、サイホン管から給水管に向かって流れる水の流れに乗って下流側に運ばれ、水と一緒に給水先に流れ出たり、給水管に設けた空気弁から外部に排出されたりするため、サイホン管内や給水管内に大量の空気が溜まることはなく、安定した給水状態を維持することができる。しかし、天候や作業の都合で一時的に給水を中断するときに、給水管から各給水先に向かって分岐している給水弁を順次閉じていくと、給水管内の流速が次第に遅くなるため、給水管内の気泡が水勾配によって上流側に上昇しはじめ、最終的には大量の空気が給水管の最高地点に向かって上昇していく状態になる。特に、急傾斜地等でサイホン式取水装置から供給される水量に比べて下流側で大量の水が消費されると、空気弁や遮断弁等から給水管内に空気が吸い込まれることがあり、このときには、より大量の空気が給水管内を上昇することになる。
【０００５】
気泡（空気）が集中して給水管内を上昇すると、空気弁で空気を十分に捕捉できずに給水管内から上流のサイホン管内に空気が逆流し、サイホン管内に大量の空気が混入してしまうことがあった。サイホン管内に大量の空気が混入するとサイホン作用が失われてしまうため、取水再開時にサイホン作用を得るため、サイホン管への注水作業やサイホン管からの空気抜き作業などを行わなければならず、給水を行うまでに多大な手間と時間を要してしまう。
【０００６】
そこで本発明は、サイホン式取水装置における給水管内の空気を効率よく排出することができ、給水管内からサイホン管内への空気の流入を確実に防止することができる空気弁装置を提供することを目的としている。
【課題を解決するための手段】
【０００７】
上記目的を達成するため、本発明の空気弁装置は、水源の水をサイホン管により取水し、該サイホン管の下流側に接続した給水管から使用先に給水するサイホン式取水装置における前記給水管内の空気を外部に排出するための空気弁装置であって、前記給水管を上流側給水管と下流側給水管とに分割し、該上流側給水管及び下流側給水管のそれぞれの端部に、上方に向かって屈曲した立ち上がり管をそれぞれ設け、一方の立ち上がり管の上部に、フロートと該フロートの昇降によって開閉する弁部とを備えた空気弁の弁箱をそれぞれ接続するとともに、前記立ち上がり管の上部同士を接続管を介して接続したことを特徴としている。
【０００８】
また、本発明の空気弁装置は、水源の水をサイホン管により取水し、該サイホン管の下流側に接続した給水管から使用先に給水するサイホン式取水装置における前記給水管内の空気を外部に排出するための空気弁装置であって、前記給水管を上流側給水管と下流側給水管とに分割し、該上流側給水管及び下流側給水管のそれぞれの端部に、上方に向かって屈曲した立ち上がり管をそれぞれ設け、各立ち上がり管の上部に、フロートと該フロートの昇降によって開閉する弁部とを備えた空気弁の弁箱をそれぞれ接続するとともに、前記立ち上がり管の上部同士を接続管を介して接続したことを特徴としている。
【０００９】
さらに、前記立ち上がり管の下部同士を接続する下部接続管を備えていること、前記立ち上がり管及び前記接続管の内部を上下に仕切って前記弁箱内への気泡の上昇を制御する仕切板を設けたこと、前記各管及び前記弁箱が合成樹脂製で同一サイズの直管と継手とを組み合わせて形成されていること、前記下流側給水管の管壁上部と前記弁箱の上部との間を排気管により接続したことを特徴としている。
【発明の効果】
【００１０】
本発明の空気弁装置によれば、給水管内を上昇する空気（気泡）を立ち上がり管により確実に捕捉して外部に排出することができる。特に、上流側と下流側とに立ち上がり管をそれぞれ設けることにより、空気をより効率よく捕捉して外部へ排出することができる。また、上流側と下流側とを接続する分岐管や接続管を複数本とすることにより、立ち上がり管部分での水の流れ抵抗の増加を小さく抑えることができる。さらに、各管や弁箱を同一サイズにすることによって部材コストや施工コストを低減することができる。
【発明を実施するための最良の形態】
【００１１】
図１及び図２は本発明の空気弁装置の第１形態例を示すもので、図１は空気弁装置の断面図、図２は空気弁装置を組み込んだ灌漑用サイホン式取水装置の一例を示す説明図である。
【００１２】
まず、本形態例に示すサイホン式取水装置は、水源となる溜池１から取水して灌漑用のパイプラインである給水管２を介して図示しない耕作区に用水を給水するものであって、堤体３の上にサイホンを構成するサイホン管４を配置している。このサイホン管４の溜池側４ａには、逆止弁、一方弁、仕切弁等の遮断弁５を介して取水フロート６に接続するフレキシブル管７が設けられており、給水管側４ｂには、遮断弁８を介して前記給水管２が接続している。また、給水管２の上流部分には、給水管２からサイホン管４への気泡の上昇を抑制するためのトラップ９が設けられるとともに、該トラップ９の下流側で、給水管２の最高地点付近に空気弁装置１０が設けられている。なお、図示は省略するが、給水管２の下流側は、複数の支線に分岐したり、複数の耕作区給水装置などに分岐したりしており、給水管２の長さは、数百ｍに達することもある。
【００１３】
前記空気弁装置１０は、給水管２を途中で上流側給水管２ａと下流側給水管２ｂとに分割し、上流側給水管２ａ及び下流側給水管２ｂの各端部に接続したエルボ１１ａ，１１ｂにより管路を上方に向かって屈曲させ、エルボ１１ａ，１１ｂの上方に第１短管１２ａ，１２ｂ、第１チーズ１３ａ，１３ｂ、第２短管１４ａ，１４ｂ、第２チーズ１５ａ，１５ｂを順次接続して立ち上がり管１６ａ，１６ｂを形成し、さらに、第２チーズ１５ａ，１５ｂの上部に第３短管１７ａ，１７ｂを介して空気弁１８ａ，１８ｂの弁箱１９ａ，１９ｂを接続して構成されている。
【００１４】
さらに、空気弁１８ａ，１８ｂの弁箱１９ａ，１９ｂと立ち上がり管１６ａ，１６ｂとの間には、前記第１チーズ１３ａ，１３ｂ同士及び第２チーズ１５ａ，１５ｂ同士を第４短管２０ａ，２０ｂにより接続した接続管２１ａ，２１ｂ（下部接続管２１ａ及び上部接続管２１ｂ）が設けられている。したがって、上流側給水管２ａから流下する用水は、上流側のエルボ１１ａで上方に屈曲して立ち上がり管１６ａを上昇し、接続管２１ａ，２１ｂを通って下流側の立ち上がり管１６ｂを流下した後、下流側のエルボ１１ｂで水平方向に屈曲して下流側給水管２ｂへと流れていく。
【００１５】
空気弁１８ａ，１８ｂは、弁箱１９ａ，１９ｂの内部にガイド部材２２ａ，２２ｂを介してフロート２３ａ，２３ｂを昇降可能に設けるとともに、弁箱上蓋２４ａ，２４ｂの中央に排気孔２５ａ，２５ｂをそれぞれ設けたものであって、弁箱１９ａ，１９ｂ内の水位が上昇するとフロート２３ａ，２３ｂが上昇して排気孔２５ａ，２５ｂを閉塞し、弁箱１９ａ，１９ｂ内の水位が下降するとフロート２３ａ，２３ｂが下降して排気孔２５ａ，２５ｂを開放するように形成されている。
【００１６】
通常、灌漑用水を供給するサイホン式取水装置は、サイホン管４への注水を完了してサイホン作用を発生させた後は、上流側の遮断弁５を開いた状態のまま下流側の遮断弁８を開閉することによって取水を開始したり、停止したりするようにしている。取水時は、遮断弁５，８が共に開となり、給水管２の下流側に設けられている支線や耕作区給水装置における遮断弁や給水弁は、灌漑状況に応じた開度に設定されている。このとき、溜池１内の用水は、溜池１の水位と給水管２の最高地点との高低差によるサイホン作用によってサイホン管４に吸引され、堤体３を越えて給水管２に供給され、給水管２から下流側の給水先、例えば複数の耕作区の給水装置にそれぞれ給水される。
【００１７】
前記空気弁１８ａ，１８ｂは、給水管２内に用水が満たされていない給水開始前には、フロート２３ａ，２３ｂがガイド部材２２ａ，２２ｂの下部に下降して排気孔２５ａ，２５ｂが開いた状態になっている。遮断弁８を開いて給水を開始すると、上流側給水管２ａから空気弁装置１０に用水が流入することによって立ち上がり管１６ａ，１６ｂや弁箱１９ａ，１９ｂ内の空気が空気弁１８ａ，１８ｂから外部に排出される。給水開始後に上流側給水管２ａから空気弁装置１０を通過して下流側給水管２ｂに流れる用水の量が増加し、弁箱１９ａ，１９ｂ内の水位が所定高さに上昇すると、水位の上昇に伴って浮上したフロート２３ａ，２３ｂが排気孔２５ａ，２５ｂを閉塞し、空気弁１８ａ，１８ｂからの空気の排出が止まる。
【００１８】
給水量が極めて少ないときには、上流側給水管２ａから流下する用水中に含まれる気泡や、流速が低い下流側給水管２ｂの用水中を浮上してきた気泡は、立ち上がり管１６ａ，１６ｂから弁箱１９ａ，１９ｂに向かって浮上し、弁箱１９ａ，１９ｂ内に溜まって水位を押し下げる。弁箱１９ａ，１９ｂ内の空気量が増加して水位が所定位置まで押し下げられると、フロート２３ａ，２３ｂが下降することによって排気孔２５ａ，２５ｂが開放され、弁箱１９ａ，１９ｂ内の空気が外部に排出されて弁箱１９ａ，１９ｂ内の水位が再び所定位置まで上昇する。
【００１９】
給水量が多くなり、下流側給水管２ｂ内の用水の流速が気泡の浮上速度を上回ると、下流側給水管２ｂを流れる用水中の気泡は、下流側給水管２ｂ内を浮上することなく、用水と共に給水先へ流れていく。給水中は、弁箱１９ａ，１９ｂ内の水位の変動に応じてフロート２３ａ，２３ｂが昇降し、排気孔２５ａ，２５ｂが適宜開閉して内部に溜まった空気を外部に排出する動作を繰り返す。
【００２０】
給水中に上流側の遮断弁８を閉じると、下流に向けて流れる用水の作用で給水管２内が減圧される状態になるが、減圧状態になるとフロート２３ａ，２３ｂが給水管２内に吸い込まれる状態になって排気孔２５ａ，２５ｂが開き、排気孔２５ａ，２５ｂから給水管２内に外気が吸引されることによって給水管２内が負圧状態になることがなく、負圧によって給水管２を構成する各配管や継手等が損傷することを防止する。
【００２１】
通常の給水状態、すなわち、気泡が下流側給水管２ｂ内を浮上することなく用水と共に下流に流れている給水状態で、下流側給水管２ｂの下流側に位置する支線や耕作区給水装置の遮断弁や給水弁を閉じていくと、下流側給水管２ｂ内の用水の流量が次第に低下してくることから、用水に伴われて下流側に流れていた気泡の浮上速度が用水の流速を上回る状態になり、下流側給水管２ｂの水勾配によって用水中の気泡が上流側に逆流し、小さな気泡が次第に集合して大きな空気塊が生成する。
【００２２】
生成した空気塊は、下流側給水管２ｂ内の用水を押しのけるようにして下流側給水管２ｂ内を上昇し、前記空気弁装置１０に到達する。下流側給水管２ｂ内を上昇する空気塊の上昇エネルギーは、下流側給水管２ｂの水勾配（傾斜角度）によって異なるが、空気塊が数多く発生した場合や、傾斜地の棚田に給水するための灌漑用サイホン式取水装置のように下流側給水管２ｂの傾斜角度が大きい場合は、空気弁装置１０から上流側給水管２ａ、トラップ９を経てサイホン管４内の用水を逆流させるのに十分なエネルギーを有しており、従来の通常の空気弁の場合には、弁箱内に浮上せずにほとんどの空気塊が空気弁部分を通過してサイホン管４内に流入し、サイホン作用を失効させることになる。
【００２３】
一方、本形態例に示す空気弁装置１０に到達した空気塊は、下流側給水管２ｂからエルボ１１ｂで流れ方向を上方に変えて立ち上がり管１６ｂ内を上昇するので、下流側の空気弁１８ｂの弁箱１９ｂ内に速やかに上昇し、上昇した空気によって弁箱１９ｂ内の水位が押し下げられることによりフロート２３ｂが下降し、排気孔２５ｂが開いて弁箱１９ｂ内に上昇した空気を外部に排気する。
【００２４】
また、空気塊の流れ方向が上方を向いていることから、水平方向に設けられた接続管２１ａ，２１ｂを通って上流側の立ち上がり管１６ａ内に流入する空気量を少なくすることができる。さらに、接続管２１ａ，２１ｂを通って上流側の立ち上がり管１６ａ内に流入した空気は、立ち上がり管１６ａ内を弁箱１９ａに向かって上昇し、フロート２３ａを下降させて排気孔２５ａを開くので、弁箱１９ａ内から排気孔２５ａを通って外部へ排出される。
【００２５】
このように、上流側給水管２ａと下流側給水管２ｂとの間に一対の立ち上がり管１６ａ，１６ｂを設け、各立ち上がり管１６ａ，１６ｂの上部に空気弁１８ａ，１８ｂを設けたことにより、下流側給水管２ｂ内を上昇してくる空気塊を空気弁１８ａ，１８ｂから効率よく速やかに排出することができる。特に、空気塊の流れを上方に屈曲させているので、空気塊のエネルギーを低減できるとともに、用水と空気塊との分離を効果的に行うことができ、上流側給水管２ａに空気塊が流入することを防止することができる。これにより、サイホン管４内への空気の侵入を確実に防止することができ、サイホン作用が失われることがなくなるので、次の給水を簡単かつ速やかに行うことができる。
【００２６】
また、弁箱１９ａ，１９ｂと立ち上がり管１６ａ，１６ｂとの間を接続する接続管２１ａ，２１ｂを複数本設けたことにより、給水時における水の流れ抵抗の増加を最小限に抑えることができ、空気弁装置１０を設けたことによる給水量の減少を抑えることができる。さらに、立ち上がり管１６ａ，１６ｂを構成する各短管、各エルボ及び各チーズと、空気弁１８ａ，１８ｂの弁箱１９ａ，１９ｂとを合成樹脂製で同一サイズのものを組み合わせて形成することにより、部材コストや施工コストを低減することができる。
【００２７】
加えて、上述のような空気弁装置１０を設置することにより、給水管２からサイホン管４へ向かって上昇する気泡を確実に排出することができるため、前記トラップ９を省略することが可能となる。これにより、従来はトラップ９を設置する場所を深く掘り下げる必要があったが、これが不要となるため、施工コストの削減を図ることもできる。
【００２８】
図３乃至図９は本発明の空気弁装置における他の形態例を示す図である。なお、以下の説明において、前記第１形態例に示した空気弁装置の構成要素と同一の構成要素には同一の符号を付して詳細な説明は省略する。
【００２９】
図３に示す第２形態例の空気弁装置は、前記第１形態例に示した空気弁装置におけるエルボ１１ａ，１１ｂを、ベンド３１ａ，３１ｂに代えたものであって、上流側給水管２ａ及び下流側給水管２ｂから各立ち上がり管１６ａ，１６ｂへの屈曲度を緩やかにすることによって給水時の水の流れ抵抗の増大を抑えるようにしている。
【００３０】
図４に示す第３形態例の空気弁装置は、前記第１形態例に示した空気弁装置における接続管２１ａ，２１ｂを、第３チーズ３２ａ，３２ｂと短管３３とを加えて３本の接続管２１ａ，２１ｂ，２１ｃを設け、接続管数を多くすることにより、前記同様に給水時の水の流れ抵抗の増大を抑えるとともに、空気弁装置上部の容積を増加させて空気塊をより確実に捕捉できるようにしている。
【００３１】
このように、接続管の本数は、灌漑時の最大流量、給水管の水勾配、各管のサイズ等の条件に応じて任意に設定でき、立ち上がり管の上部（弁箱の下部）に１本だけ接続管を設けても、気泡の上昇分離効果を十分に期待することができる。
【００３２】
図５に示す第４形態例の空気弁装置は、前記第１形態例に示した空気弁装置における２本の立ち上がり管１６ａ，１６ｂのうち、下流側の立ち上がり管１６ｂの上部にのみ空気弁１８ｂの弁箱１９ｂを接続し、上流側の立ち上がり管１６ａの上部には、前述のチーズに代えて前記同様の短管（図示せず）を介してエルボ３４の一端を下方に向けて接続するとともに、該エルボ３４の他端を水平方向に向けて前記同様の短管（図示せず）を介して前記立ち上がり管１６ｂの第２チーズ１５ｂの分岐側に接続することにより、立ち上がり管１６ａ，１６ｂの上部同士を接続する接続管３５を形成している。
【００３３】
この第４形態例に示す空気弁装置は、給水管２が比較的短く、水勾配が緩やかで、水量が少ない場合に最適である。また、この第４形態例に示す空気弁装置は、上流側、下流側を逆にして設置することも可能である。
【００３４】
図６乃至図８に示す第５形態例の空気弁装置は、前記第１形態例に示した空気弁装置におけるエルボ１１ａ，１１ｂと第１短管１２ａ，１２ｂとに代えて、第１チーズ１３ａ，１３ｂの分岐側を上方に開口させた状態で配置し、前記上流側給水管２ａの端部と前記下流側給水管２ｂの端部との間に、第１チーズ１３ａ，１３ｂと第４短管２０ａとで形成した下部接続管２１ａを接続することにより、上流側給水管２ａと前記下流側給水管２ｂとを直線状に接続するようにしている。
【００３５】
第１チーズ１３ａ，１３ｂの分岐側の上方には、前記第１形態例と同様に、第２短管１４ａ，１４ｂを介して第２チーズ１５ａ，１５ｂを連結することによって立ち上がり管１６ａ，１６ｂを形成し、第２チーズ１５ａ，１５ｂの上部に第３短管１７ａ，１７ｂを介して空気弁１８ａ，１８ｂの弁箱１９ａ，１９ｂを接続するとともに、第２チーズ１５ａ，１５ｂの分岐側同士を第４短管２０ｂで接続することにより、上部接続管２１ｂを形成している。
【００３６】
立ち上がり管１６ａ，１６ｂ及び上部接続管２１ｂの中には、これらの内部を上下に仕切る仕切板（セパレータ）４１が水平方向に設置されている。このセパレータ４１は、小径の通気孔４１ａを多数備えた多孔板や網板等の通気性、通水性を有する材料によって形成されるもので、立ち上がり管１６ａ，１６ｂから弁箱１９ａ，１９ｂ内への気泡の上昇を制御する。すなわち、立ち上がり管１６ａ，１６ｂ内に大きな空気塊が浮上してきたときに、空気塊が大きな状態のまま空気弁１８ａ，１８ｂ内に一気に上昇することをセパレータ４１で防止することにより、フロート２３ａ，２３ｂに衝撃を与えたり、排気孔２５ａ，２５ｂから大量の空気が水を伴って勢いよく吹き出したりすることを防止できる。
【００３７】
本形態例では、水勾配に対して用水の流速が低く、下流側給水管２ｂの用水中を浮上してくる気泡の量が多いときには、下流側の立上り管１６ｂを上昇する気泡の作用により、立ち上がり管１６ａ，１６ｂ及び接続管２１ａ，２１ｂの内部に、図６の矢印に示すような循環流が発生する。これにより、気泡の量が多く、空気弁１８ａ，１８ｂから気泡が完全に排出できない場合でも、排出されなかった気泡が前記循環流に乗って立ち上がり管１６ａ，１６ｂ及び接続管２１ａ，２１ｂの内部を循環することになり、下流側給水管２ｂから上昇してくる気泡量の変動に伴って空気弁１８ａ，１８ｂから排出されるので、上流側給水管２ａ内に気泡が流入することを防止できる。
【００３８】
図９に示す第６形態例の空気弁装置は、空気弁装置の下流側給水管２ｂの管壁上部と弁箱１９ｂの上部との間を、下流側給水管２ｂより小径の排気管４２にて接続したもので、下流側給水管２ｂの用水中を浮上してきた気泡を排気管４２を介して弁箱１９ｂ内に送るようにしている。
【００３９】
これにより、第１チーズ１３ｂ側に流れる気泡を少なくし、立ち上がり管１６ａ，１６ｂにてより確実に気泡を捕捉できるようにしている。これにより、上流側給水管２ａを介して前記サイホン管４内に気泡が流入することを防止できる。
【００４０】
なお、空気弁におけるフロートや排気孔の形状、構造等は、必要な排気量、用水中に含まれる土砂の状態等の条件に応じて適宜最適なものを選択することができる。
【図面の簡単な説明】
【００４１】
【図１】本発明の空気弁装置の第１形態例を示す断面図である。
【図２】本発明の空気弁装置を組み込んだ灌漑用サイホン式取水装置の一例を示す説明図である。
【図３】本発明の空気弁装置の第２形態例を示す正面図である。
【図４】本発明の空気弁装置の第３形態例を示す正面図である。
【図５】本発明の空気弁装置の第４形態例を示す正面図である。
【図６】本発明の空気弁装置の第５形態例を示す断面図である。
【図７】図６のVII-VII断面図である。
【図８】同じく空気弁装置の正面図である。
【図９】本発明の空気弁装置の第６形態例を示す正面図である。
【符号の説明】
【００４２】
１…溜池、２…給水管、２ａ…上流側給水管、２ｂ…下流側給水管、３…堤体、４…サイホン管、４ａ…溜池側、４ｂ…給水管側、５…遮断弁、６…取水フロート、７…フレキシブル管、８…遮断弁、９…トラップ、１０…空気弁装置、１１ａ，１１ｂ…エルボ、１２ａ，１２ｂ…第１短管、１３ａ，１３ｂ…第１チーズ、１４ａ，１４ｂ…第２短管、１５ａ，１５ｂ…第２チーズ、１６ａ，１６ｂ…立ち上がり管、１７ａ，１７ｂ…第３短管、１８ａ，１８ｂ…空気弁、１９ａ，１９ｂ…弁箱、２０ａ，２０ｂ…第４短管、２１ａ，２１ｂ，２１ｃ…接続管、２２ａ，２２ｂ…ガイド部材、２３ａ，２３ｂ…フロート、２４ａ，２４ｂ…弁箱上蓋、２５ａ，２５ｂ…排気孔、３１ａ，３１ｂ…ベンド、３２ａ，３２ｂ…第３チーズ、３３…短管、３４…エルボ、３５…接続管、４１…セパレータ、４１ａ…通気孔、４２…排気管
【図１】
0005113690.tif 000002
【図２】
0005113690.tif 000003
【図３】
0005113690.tif 000004
【図４】
0005113690.tif 000005
【図５】
0005113690.tif 000006
【図６】
0005113690.tif 000007
【図７】
0005113690.tif 000008
【図８】
0005113690.tif 000009
【図９】
0005113690.tif 000010